(57)【特許請求の範囲】
【請求項１】
磁気ディスクと、
上記磁気ディスクを保持および回転駆動するスピンドルモータと、
上記磁気ディスクに対して情報の記録再生を行なう磁気ヘッドと、
上記磁気ヘッドを上記磁気ディスクに対して移動可能に支持したキャリッジアッセンブリと、
上記キャリッジアッセンブリを移動させて上記磁気ヘッドを上記磁気ディスク上の任意の位置に位置決めするボイスコイルモータと、
上記磁気ディスクと対向した底壁を有し、上記磁気ディスク、スピンドルモータ、キャリッジアッセンブリ、およびボイスコイルモータを収容したケースと、
複数の電子部品が実装された実装面、およびこの実装面と対向しているとともに電子部品が実装されていない非実装面を有し、上記実装面が上記ケースの底壁外面に対向して上記ケースに固定されたプリント回路基板と、を備え、
上記ボイスコイルモータは、間隔をおいて対向配置された一対のヨークと、少なくとも一方のヨークに固定され上記一対のヨーク間に配置された磁石と、上記キャリッジアッセンブリに取り付けられているとともに上記一対のヨーク間で上記磁石に対向して設けられたボイスコイルと、を有し、
上記ヨークの一方は、その少なくとも一部が上記ケースの底壁に埋め込まれた状態で設けられ、
上記プリント回路基板は、上記一方のヨークが埋め込まれた底壁部分と対向した部分が切欠かれているとともに、上記一方のヨークが埋め込まれた底壁部分の外面と上記非実装面とがほぼ同一平面に並んで設けられていることを特徴とする磁気ディスク装置。
【請求項２】
上記底壁は開口を有し、上記一方のヨークは上記開口に埋め込まれ上記底壁の外面に露出していることを特徴とする請求項１に記載の磁気ディスク装置。
【請求項３】
上記底壁は開口を有し、上記一方のヨークは上記開口に埋め込まれヨーク表面が上記底壁の外面とほぼ同一平面に位置していることを特徴とする請求項１に記載の磁気ディスク装置。
【請求項４】
上記ケースの底壁は、上記スピンドルモータに対向して設けられた開口を有し、上記スピンドルモータは、上記開口を通して底壁外面に突出したモータ下部を有し、
上記プリント回路基板は、上記モータ下部を収容した透孔を有していることを特徴とする請求項１に記載の磁気ディスク装置。
【発明の詳細な説明】
【０００１】
【発明の属する技術分野】
この発明は、磁気ディスク装置、特に、ラップトップ型コンピュータ、ブック型コンピュータ等の携帯可能なコンピュータに使用される磁気ディスク装置に関する。
【０００２】
【従来の技術】
一般に、パーソナルコンピュータ、ラップトップ型コンピュータ、ブック型コンピュータ等の携帯可能な小型のコンピュータにおいては、大量の情報を保存するためのメモリとして磁気ディスク装置が使用されている。そして、この種のコンピュータは携帯性の向上を図るため一層の小型化、および処理能力の向上が進められ、これに伴い、磁気ディスク装置も小型化および大容量化が望まれている。
【０００３】
磁気ディスク装置は、通常、記録媒体としての磁気ディスクを回転駆動するスピンドルモータと、磁気ディスクに対して記録、再生を行なう磁気ヘッドと、磁気ヘッドを磁気ディスクに対して移動自在に支持したキャリッジアッセンブリと、キャリッジアッセンブリを駆動して磁気ヘッドを磁気ディスクの所望のトラック上に移動および位置決めするボイスコイルモータ（以下、ＶＣＭと称する）と、を備えている。
【０００４】
また、ＶＣＭは、所定の間隔をおいて対向した一対のヨークと、ヨーク間に配設された磁石と、キャリッジアッセンブリ側に取り付けられ、磁石に対向してヨーク間に設けられたボイスコイルと、を備えている。
通常、上記のような構成を有する磁気ディスク装置の記憶容量を上げる場合、磁気ディスクの実装枚数を増大する方法が取られている。
【０００５】
【発明が解決しようとする課題】
しかしながら、記憶容量を上げるために磁気ディスクの実装枚数を増大させた場合、磁気ディスク装置が大型化、特に、厚くなってしまうという問題がある。すなわち、磁気ディスクの枚数が増大すると、これに伴い、磁気ヘッドの個数も増大し、キャリッジアッセンブリの慣性が増大する。そのため、キャリッジアッセンブリを駆動するＶＣＭの駆動力を上げる必要がある。そして、ＶＣＭの駆動力を上げるためには、磁石を大型にして磁力を上げる必要がある。従って、その分、一対のヨーク間の間隔が大きくなり、磁気ディスク装置全体の厚さが大きくなってしまう。
【０００６】
この発明は、以上の点に鑑みなされたもので、その目的は、装置の大型化、特に、厚さを増大させることなく、記憶容量の増大を図ることが可能な磁気ディスク装置を提供することにある。
【０００７】
【課題を解決するための手段】
上記目的を達成するため、本発明に係る磁気ディスク装置は、磁気ディスクと、上記磁気ディスクを保持および回転駆動するスピンドルモータと、上記磁気ディスクに対して情報の記録再生を行なう磁気ヘッドと、上記磁気ヘッドを上記磁気ディスクに対して移動可能に支持したキャリッジアッセンブリと、上記キャリッジアッセンブリを移動させて上記磁気ヘッドを上記磁気ディスク上の任意の位置に位置決めするボイスコイルモータと、上記磁気ディスクと対向した底壁を有し、上記磁気ディスク、スピンドルモータ、キャリッジアッセンブリ、およびボイスコイルモータを収容したケースと、複数の電子部品が実装された実装面、およびこの実装面と対向しているとともに電子部品が実装されていない非実装面を有し、上記実装面が上記ケースの底壁外面に対向して上記ケースに固定されたプリント回路基板と、を備え、
上記ボイスコイルモータは、間隔をおいて対向配置された一対のヨークと、少なくとも一方のヨークに固定され上記一対のヨーク間に配置された磁石と、上記キャリッジアッセンブリに取り付けられているとともに上記一対のヨーク間で上記磁石に対向して設けられたボイスコイルと、を有している。そして、上記ヨークの一方は、その少なくとも一部が上記ケースの底壁に埋め込まれた状態で設けられ、上記プリント回路基板は、上記一方のヨークが埋め込まれた底壁部分と対向した部分が切欠かれているとともに、上記一方のヨークが埋め込まれた底壁部分の外面と上記非実装面とがほぼ同一平面に並んで設けられていることを特徴としている。
【０００８】
また、この発明の磁気ディスク装置によれば、上記底壁は開口を有し、上記一方のヨークは上記開口に埋め込まれ上記底壁の外面に露出していることを特徴としている。
【０００９】
上記のように、一方のヨークの少なくとも一部をケースの底壁に埋め込んで設けることにより、駆動力増大のためにボイスコイルモータの磁石を厚くした場合でも、ケースの厚さを増大する必要がなくなる。これにより、磁気ディスク装置を大型にすることなく磁気ディスクの実装枚数を増やし記録容量の増大を図ることが可能となる。
【００１０】
更に、この発明に係る磁気ディスク装置は、上記ケースの底壁外面に対向して設けられたプリント回路基板を備え、このプリント回路基板は、ケースのヨークが埋め込まれた底壁部分と対向した切欠を有している。すなわち、プリント回路基板は、上記底壁部分を避けて設けられている。
【００１１】
このような構成によれば、プリント回路基板をケースの底壁外面に密着して設けることができ、プリント回路基板を含む装置全体の厚さ増加を抑えることが可能となる。
【００１２】
【発明の実施の形態】
以下図面を参照しながら、この発明の磁気ディスク装置をハードディスクドライブ（以下、ＨＤＤと称する）に適用した実施の形態について詳細に説明する。図１および図２に示すように、ＨＤＤはケース１０を備えている。ケース１０は、上端の開口した矩形箱状、つまり、矩形の底壁１２ａおよび底壁の側縁に立設された４つの側壁を有する本体１２と、複数のねじ１１により本体にねじ止めされて本体の上端開口を閉塞したトップカバー１４と、を有している。
【００１３】
ケース本体１２内には、磁気記録媒体としての２枚の磁気ディスク１６ａ、１６ｂ、これらの磁気ディスクを支持および回転させるスピンドルモータ１８、磁気ディスクに対して情報の記録、再生を行なう磁気ヘッドをそれぞれ備えた複数の磁気ヘッド組立体２０、これらの磁気ヘッド組立体を回動自在に支持したキャリッジアッセンブリ２２、キャリッジアッセンブリを回動および位置決めさせるボイスコイルモータ２４、プリアンプ等を有する基板ユニット２１が収納されている。
【００１４】
また、本体１２の外面には、スピンドルモータ１８、ボイスコイルモータ２４、磁気ヘッド組立体２０の動作を制御するプリント回路基板１９がねじ止めされ、本体の底壁１２ａと対向して位置している。
【００１５】
スピンドルモータ１８は、ブラケット２７と、ブラケットに固定された下端を有しケース本体１２内に立設された枢軸２８と、一対の玉軸受を介して枢軸に回転自在に支持された円筒形状のハブ３０と、を有している。そして、モータ下部を構成するブラケット２７は、ケース本体１２の底壁１２ａに形成された開口２６に嵌合され底壁１２ａの外面から僅かに突出しているとともに、底壁１２ａにねじ止めされている。なお、ブラケット２７はケースの底壁１２ａと一体に形成されていてもよい。
【００１６】
２枚の磁気ディスク１６ａ、１６ｂｃは、スピンドルモータ２５のハブ３０の外周面に互いに同軸的に嵌合され、ハブの軸方向に沿って積層されている。隣合う２枚の磁気ディスク間には、ハブ３０に嵌合されたスペーサリング３２が介在されている。そして、磁気ディスク１６ａ、１６ｂ、スペーサリング３２は、ハブ３０の上端にねじ止めされた円盤状のクランパ３４によってハブ３２に固定されている。これらの磁気ディスク１６ａ、１６ｂは、スピンドルモータ２５により所定の速度で回転駆動される。
【００１７】
キャリッジアッセンブリ２２は、ケース本体１２の底壁１２ａ上に固定されたほぼ円筒形状の軸受組立体３６と、軸受組立体から磁気ディスクに向かって延出した４本のアーム３８と、を備えている。そして、各アーム３８の延出端に磁気ヘッド組立体２０が固定されている。
【００１８】
各磁気ヘッド組立体２０は、板ばねによって形成された細長いサスペンション４０と、サスペンションの先端に取り付けられた磁気ヘッド４２と、有している。なお、サスペンション４０は、アームと同一の材料によりアームと一体的に形成されていてもよい。また、４本のアーム３８および４つの磁気ヘッド組立体２０は、２つの磁気ヘッド４２が磁気ディスクを間に挟んで対向するように配設されている。従って、キャリッジアッセンブリ２２が軸受組立体３６を中心として回動することにより、各磁気ヘッド４２は、対応する磁気ディスクの任意のトラックへ移動可能となっている。
【００１９】
ＶＣＭ２４は、ケース本体１２の底壁１２ａに固定されたほぼ扇形状の下部ヨーク５０と、下部ヨークと所定距離離間して対向したほぼ扇形状の上部ヨーク５２と、下部ヨークの内面に固定されて上部ヨークと対向した永久磁石５４と、を備えている。
【００２０】
更に、ＶＣＭ２４はボイスコイル５６を備え、このボイスコイルは、キャリッジアッセンブリ２２の軸受組立体３６から延出した支持フレーム５８に取付けられているとともに、上部ヨーク７２と永久磁石７４との間に位置しこれらの間を移動可能となっている。そして、ボイスコイル５６へ通電することにより磁界が発生し、永久磁石５４から発生する磁界との相互作用により、キャリッジアッセンブリ２２が回動される。
【００２１】
図２ないし図４に示すように、本実施の形態において、ＶＣＭ２４の下部ヨーク５０は、ケース本体１２の底壁１２ａに埋め込んで設けられている。すなわち、底壁１２ａには開口６０が形成され、下部ヨーク５０全体がこの開口６０内に収納されている。そして、下部ヨーク５０の下面、つまり、外面は、底壁１２ａの外面と同一平面上に位置している。
【００２２】
下部ヨーク５０は例えば開口６０内に接着固定されているとともに、底壁１２ａの外面には、下部ヨーク５０の落下を防止するためのテープ６２が貼付され、開口６０および下部ヨーク外面を覆っている。
【００２３】
図１に示すように、ケース１２内に設けられた基板ユニット２１は、底壁１２ａ内面上に設置された基板本体６４と、基板本体から延出したフレキシブル配線板６６と、を有している。基板本体６４には複数の電子部品および第１コネクタ６７が実装されている。この第１コネクタ６７は、基板本体６４およびケース本体１２の底壁１２ａを貫通し、底壁外面に露出している。また、フレキシブル配線板６６の延出端はキャリッジアッセンブリ２２の軸受組立体３６に固定されているとともに、図示しない配線を介して４つの磁気ヘッド４２に接続されている。
【００２４】
一方、図１ないし図４に示すように、ケース本体１２の底壁１２ａ外面に取り付けられたプリント回路基板１９はほぼ矩形状に形成され、その上面には、多数の電子部品７０が実装されている。また、プリント回路基板１９上には、基板ユニット２１側の第１コネクタ６７と接続可能な第２コネクタ７２、およびＨＤＤをパーソナルコンピュータ等の電子機器に接続するための主コネクタ７４が実装されている。
【００２５】
そして、プリント回路基板１９は、第２コネクタ７２を第１コネクタ６７に接続した状態で、ケース本体１２の底壁１２ａ外面と対向配置され、複数のねじ８０により底壁外面にねじとめ固定されている。ここで、プリント回路基板１９は、スピンドルモータ１８のブラケット２７と対向する位置に形成された円形の透孔７６を有しているとともに、ＶＣＭ２４の下部ヨーク６０が埋め込まれた底壁部分と対向する部分が切欠かれている。
【００２６】
プリント回路基板１９を底壁１２ａ外面に取り付けた状態において、スピンドルモータ１８のブラケット２７はプリント回路基板の透孔７６内に位置し、また、プリント回路基板１９全体は、ＶＣＭ２４の下部ヨーク６０が埋め込まれた底壁部分を避けて配置されている。そのため、プリント回路基板１９は、ブラケット２７および下部ヨーク埋め込み部分に阻害されることなく、底壁１２ａの外面にほぼ密着した状態で底壁１２ａに取り付けられている。
【００２７】
以上のように構成されたＨＤＤによれば、ＶＣＭ２４の下部ヨーク５０は、その全体がケース本体１２の底壁１２ａに埋め込んで設けることにより、駆動力増大のためにＶＣＭの永久磁石５４を厚くした場合でも、ケース１０の厚さを増大することなく上下のヨーク５２、５４間に所定の間隔を設けることができる。これにより、ＨＤＤ全体を大型化することなく、特に、ＨＤＤの厚さ寸法を増大することなく、磁気ディスクの実装枚数を増やし記録容量の増大を図ることが可能となる。
【００２８】
また、上述したＨＤＤによれば、ケース本体１２の底壁外面に対向して設けられたプリント回路基板１９は、下部ヨーク５０が埋め込まれた底壁部分と対向する部分が切欠かれ、上記底壁部分を避けて設けられている。そのため、プリント回路基板１９をケースの底壁１２ａ外面に密着して設けることができ、プリント回路基板を含むＨＤＤ全体の厚さ増加を抑えることができる。
【００２９】
なお、この発明は上述した実施例に限定されることなく、この発明の範囲内で種々変形可能である。例えば、上記実施例においては、ＶＣＭ２４の下部ヨーク全体をケース本体１２の底壁１２ａに埋め込む構成としたが、図５に示すように、底壁１２ａ内面に凹所８０を形成し、この凹所に下部ヨークの一部を埋め込んで配置するようにしてもよい。すなわち、下部ヨークの少なくとも一部をケース本体の底壁に埋め込んで設けることにより、ＨＤＤの厚さを低減し、上述した実施の形態と同様の作用効果を得ることができる。また、この構成によれば、下部ヨークからの磁束漏洩を防止できるという効果も得ることがでる。
その他、磁気ディスクの実装枚数は２枚に限らず、必要に応じて増減可能である。
【００３０】
【発明の効果】
以上詳述したように、この発明によれば、ボイスコイルモータを構成するヨークの少なくとも一部をケースの底壁に埋め込んで設けることにより、装置の大型化、特に、厚さを増大させることなく、記憶容量の増大を図ることが可能な磁気ディスク装置を提供することができる。
【図面の簡単な説明】
【図１】この発明の実施の形態にＨＤＤの分解斜視図。
【図２】上記ＨＤＤの縦断面図。
【図３】上記ＨＤＤの底面側およびプリント回路基板を示す分解斜視図。
【図４】上記ＨＤＤの底面側を示す斜視図。
【図５】この発明の変形例に係るＨＤＤの要部を示す断面図。
【符号の説明】
１０…筐体
１２…本体
１２ａ…底壁
１６ａ、１６ｂ…磁気ディスク、
１８…スピンドルモータ
１９…プリント回路基板
２０…磁気ヘッド組立体
２２…キャリッジアッセンブリ
２４…ボイスコイルモータ
５０…下部ヨーク
５２…上部ヨーク
５４…永久磁石
６０…開口
８０…凹所
【図１】
0003688445.tif 000002
【図２】
0003688445.tif 000003
【図３】
0003688445.tif 000004
【図４】
0003688445.tif 000005
【図５】
0003688445.tif 000006